(57)【特許請求の範囲】
【請求項１】
複数枚の記録媒体にデータを記録・管理するデータライブラリ装置において、
前記記録媒体にデータを記録再生する複数台のデータ記録再生装置と、
前記複数台のデータ記録再生装置の記録媒体を交換する記録媒体交換装置と、
前記記録媒体の識別情報と、前記データ記録再生装置ごとのセットアップ情報を記憶する記憶手段を備え、
前記複数台のデータ記録再生装置は、前記記録媒体に適切な記録再生条件で記録再生するためのセットアップ手段を備え、
サーバからデータ記録処理あるいはデータ再生処理が要求された場合は、前記記録媒体交換装置により該当する記録媒体を一つのデータ記録再生装置に装着し、
前記記録媒体の識別情報と、前記データ記録再生装置ごとのセットアップ情報を読み出し、
対応する記録媒体の識別情報と、データ記録再生装置ごとのセットアップ情報がある場合は、前記セットアップ手段により第１のセットアップ方法を実行し、
対応する記録媒体の識別情報と、データ記録再生装置ごとのセットアップ情報がない場合は、前記セットアップ手段により第２のセットアップ方法を実行し、
第１のセットアップ方法はデータ記録済の記録媒体用セットアップ方法であり、第２のセットアップ方法はデータ未記録の記録媒体用セットアップ方法であるデータライブラリ装置。
【請求項２】
請求項１に記載のデータライブラリ装置であって、
対応する記録媒体の識別情報と、データ記録再生装置ごとのセットアップ情報がある場合は、前記セットアップ手段により第１のセットアップ方法を実行し、
対応する記録媒体の識別情報はあるが、対応するデータ記録再生装置ごとのセットアップ情報がない場合は、前記セットアップ手段により第３のセットアップ方法を実行し、
対応する記録媒体の識別情報と、データ記録再生装置ごとのセットアップ情報がない場合は、前記セットアップ手段により第２のセットアップ方法を実行し、
第１のセットアップ方法はセットアップ情報を使ったデータ記録済の記録媒体用セットアップ方法であり、第２のセットアップ方法はデータ未記録の記録媒体用セットアップ方法であり、第３のセットアップ方法はセットアップ情報を使わないデータ記録済の記録媒体用セットアップ方法であることを特徴とするデータライブラリ装置。
【請求項３】
記録媒体にデータを記録し、記録媒体からデータを再生する、データ記録再生装置において、
前記記録媒体に適切な記録再生条件でデータを記録再生するためのセットアップ手段と、
少なくとも記憶手段とのコネクタを備え、
識別情報に対応する媒体情報によりセットアップ方法を切り換えてセットアップ処理を行い、
前記記録媒体が装着された際に、第１のセットアップ方法によりセットアップ処理を行って、前記記録媒体から識別情報を再生し、
前記識別情報に対応する媒体情報が前記記憶手段に存在する場合は、前記記憶手段から前記識別情報に対応する媒体情報を読み出し、第２のセットアップ方法によりセットアップ処理を行い、
前記識別情報に対応する媒体情報が前記記憶手段に存在しない場合は、第３のセットアップ方法によりセットアップ処理を行い、前記記録媒体から媒体情報を再生して前記識別情報と共に前記記憶手段に記憶し、
第１のセットアップ方法は識別情報再生用のセットアップ方法であり、第２のセットアップ方法はデータ記録済の記録媒体用セットアップ方法であり、第３のセットアップ方法はデータ未記録の記録媒体用セットアップ方法であることを特徴とするデータ記録再生装置。
【請求項４】
記録媒体にデータを記録し、記録媒体からデータを再生する、データ記録再生装置において、
前記記録媒体に適切な記録再生条件でデータを記録再生するためのセットアップ手段と、
少なくとも記憶手段とのコネクタを備え、
識別情報に対応する媒体情報により前記セットアップ方法を切り換えてセットアップ処理を行い、
前記記録媒体が装着された際に、第１のセットアップ方法によりセットアップ処理を行って、前記記録媒体から識別情報を再生し、
前記識別情報に対応する媒体情報が前記記憶手段に存在する場合は、前記記憶手段から前記識別情報に対応する媒体情報とセットアップ情報を読み出し、前記セットアップ情報を利用して第２のセットアップ方法によりセットアップ処理を行い、
前記識別情報に対応する媒体情報が前記記憶手段に存在しない場合は、第３のセットアップ方法によりセットアップ処理を行い、得られたセットアップ情報を前記識別情報と共に前記記憶手段に記憶し、更に前記記録媒体から媒体情報を再生して前記識別情報と共に前記記憶手段に記憶し、
第１のセットアップ方法は識別情報再生用のセットアップ方法であり、第２のセットアップ方法はデータ記録済の記録媒体用セットアップ方法であり、第３のセットアップ方法はデータ未記録の記録媒体用セットアップ方法であることを特徴とするデータ記録再生装置。
【請求項５】
複数枚の記録媒体にデータを記録・管理するデータライブラリ装置において、
前記記録媒体にデータを記録再生する複数台のデータ記録再生装置と、
前記複数台のデータ記録再生装置の記録媒体を交換する記録媒体交換装置と、
前記記録媒体の識別情報を記憶する記憶手段を備え、
前記複数台のデータ記録再生装置は、前記記録媒体に適切な記録再生条件で記録再生するための複数のセットアップ手段を備え、
サーバからデータ記録処理あるいはデータ再生処理が要求された場合は、前記記録媒体交換装置により該当する記録媒体を一つのデータ記録再生装置に装着し、
前記記録媒体の識別情報を読み出し、
対応する記録媒体の識別情報がある場合は、前記セットアップ手段により第１のセットアップ方法を実行し、
対応する記録媒体の識別情報がない場合は、前記セットアップ手段により第２のセットアップ方法を実行し、
第１のセットアップ方法はデータ記録済の記録媒体用セットアップ方法であり、第２のセットアップ方法はデータ未記録の記録媒体用セットアップ方法であるデータライブラリ装置。
【発明の詳細な説明】
【技術分野】
【０００１】
本発明は、データ記録再生装置およびデータライブラリ装置に関するものである。
【背景技術】
【０００２】
本技術分野の背景技術として、特開２００４−１９２６８０号公報がある。この公報には、課題として「複数の異なる規格の記録媒体を使用できるディスク装置において、セットアップが完了するまでの時間を短縮する効果のあるディスク装置を提供すること」と記載されている。また、解決手段として「複数の異なる規格の記録媒体を使用できるディスク装置において、前もって、最優先してセットアップ処理を行う記録媒体のディスク種（規格）を指定（設定）できるように、構成する」と記載されている。
【先行技術文献】
【特許文献】
【０００３】
【特許文献１】特開２００４−１９２６８０号公報
【発明の概要】
【発明が解決しようとする課題】
【０００４】
前記特許文献１では、ディスク種判定を、あらかじめ指定された最優先種の光ディスクかどうかの判定から開始することによって、セットアップ処理にかかる時間を短縮している。しかし、あらかじめ指定された最優先種の光ディスクかどうかの判定から開始したとしても、ＢＤ−ＲＯＭ（Ｂｌｕ−ｒａｙ  Ｄｉｓｃ  Ｒｅａｄ  Ｏｎｌｙ  Ｍｅｍｏｒｙ）のような再生専用ディスクに比べて、ＢＤ−Ｒ（Ｂｌｕ−ｒａｙ  Ｄｉｓｃ  Ｒｅｃｏｒｄａｂｌｅ）のような記録型ディスクはセットアップ処理に時間がかかる。データを記録するために調整箇所が増える上に、予めデータが書き込まれているＢＤ−ＲＯＭとは異なりＢＤ−Ｒには当初データが書き込まれていないためである。
【０００５】
例えばＢＤ−ＲＯＭのセットアップ処理には、データ領域を再生してその振幅値が最大となるポイントを探すことにより各種設定の最適値を求める処理がある。しかし、ＢＤ−Ｒのセットアップ処理では、データ領域が未記録の場合を考慮して記録済か未記録かどうかに関わらず、例えば３２クラスタのＰｒｅ−ｗｒｉｔｅ  Ａｒｅａだけで各種設定の最適値を求めるため、処理中に何度もシークが必要となり、セットアップ処理時間が長くなっていた。
【０００６】
また、データライブラリ装置を考えた場合、一つの光ディスクが複数のドライブで記録再生される場合がある。この場合、あるドライブにおける光ディスクの良好なセットアップ値が、必ずしも他のドライブでの良好なセットアップ値になるとは限らない。
【０００７】
そこで、本発明の目的は、セットアップ処理時間を短縮できるデータ記録再生装置およびデータライブラリ装置を提供することである。
【課題を解決するための手段】
【０００８】
本発明の目的は、例えば一つの光ディスクに対し、各ドライブごとに良好なセットアップ値を用意することで達成できる。
【発明の効果】
【０００９】
本発明によれば、セットアップ処理時間を短縮できるデータ記録再生装置およびデータライブラリ装置を提供することができる。
【００１０】
上記した以外の課題、構成及び効果は、以下の実施形態の説明により明らかにされる。
【図面の簡単な説明】
【００１１】
【図１】第１の実施例のデータ記録再生装置の構成を示すブロック図。
【図２】第１の実施例のデータ記録再生装置の動作を説明するフローチャート。
【図３】第２の実施例のデータ記録再生装置の構成を示すブロック図。
【図４】第２の実施例のデータ記録再生装置の動作を説明するフローチャート。
【図５】第２の実施例のデータ記録再生装置のメモリの内容を示す表。
【図６】第３の実施例のデータ記録再生装置の構成を示すブロック図。
【図７】第３の実施例のデータ記録再生装置の動作を説明するフローチャート。
【図８】第３の実施例のデータ記録再生装置のメモリの内容を示す表。
【図９】第４の実施例のデータライブラリ装置の構成を示すブロック図。
【図１０】第４の実施例のデータ記録再生装置の構成を示すブロック図。
【図１１】第４の実施例のデータライブラリ装置の動作を説明するフローチャート。
【図１２】第４の実施例のデータ記録再生装置のメモリの内容を示す表。
【発明を実施するための形態】
【００１２】
以下、図面を用いて実施例を説明する。
【実施例１】
【００１３】
図１は、本発明の第１の実施例のデータ記録再生装置の構成を示すブロック図である。１はデータ記録再生装置であり、ホストコンピュータから入力したデータを記録媒体に記録する。また、記録媒体から再生したデータをホストコンピュータに出力する。２はデータ記録媒体、例えばＢＤ−Ｒ（Ｂｌｕ−ｒａｙ  Ｄｉｓｃ  Ｒｅｃｏｒｄａｂｌｅ）である。なお、以下の説明においては、光ディスク２として説明する。データ記録媒体は、必ずしも光ディスクに限定されるものではなく、光磁気ディスクやホログラム等の記録媒体であってもよく、ディスク形状でなくてもよい。
【００１４】
３は光ピックアップであり、光ディスク２から信号を再生して増幅回路４に送る。また、信号処理回路５から送られた変調信号を光ディスク２に記録する。
【００１５】
４は増幅回路であり、光ピックアップ３を介して光ディスク２から再生した信号を増幅して信号処理回路５に送る。また、サーボ信号を生成してサーボ回路８に送る。増幅回路４は、例えば、ＡＦＥ（Ａｎａｌｏｇ  Ｆｒｏｎｔ  Ｅｎｄ）によって実装する。
【００１６】
５は信号処理回路であり、入力信号を復調してインタリーブを解き、誤り訂正を行い、スクランブルを解いたデータをインタフェース回路６に送る。また、インタフェース回路６から送られたデータにスクランブルを施し、誤り訂正符号を付加し、インタリーブを施し、変調して光ピックアップ３に送る。
【００１７】
６はインタフェース回路であり、信号処理回路５から送られたデータをホストコンピュータに送る。また、ホストコンピュータから送られたデータを信号処理回路５に送る。インタフェース回路６は、例えばＳＡＴＡ（Ｓｅｒｉａｌ Ａｄｖａｎｃｅｄ  Ｔｅｃｈｎｏｌｏｇｙ  Ａｔｔａｃｈｍｅｎｔ）その他の転送方式に準拠したデータ転送を行う。
【００１８】
７はＣＰＵ（Ｃｅｎｔｒａｌ  Ｐｒｏｃｅｓｓｉｎｇ  Ｕｎｉｔ）であり、データ記録再生装置１の記録処理、再生処理の制御を行う。また、光ディスク２を記録再生するのに最適なセットアップ情報を取得する。また、光ディスク２から識別情報や媒体情報を読み出す。識別情報とは、例えば光ディスク内周のＢＣＡ（Ｂｕｒｓｔ  Ｃｕｔｔｉｎｇ  Ａｒｅａ）に記録されている製品番号やシリアル番号である。媒体情報とは、例えば光ディスクの種類、欠陥管理情報等、当該光ディスクを記録再生する際に必要な情報であり、光ディスク装着毎に光ディスクから読み出す情報である。なお、ＣＰＵでなくとも、任意の制御回路や、ＡＳＩＣ等の専用回路を用いてもよい。
【００１９】
８はサーボ回路であり、増幅回路４にて生成されたサーボ信号により光ピックアップ３を制御する。
【００２０】
次に、光ディスク２にデータを記録する場合のデータ記録再生装置１の動作を説明する。 データ記録再生装置１に光ディスク２が装着されると、ＣＰＵ７は光ピックアップ３、増幅回路４、サーボ回路８を介して光ディスク２の識別情報を読み出し、セットアップ情報を取得して増幅回路４、サーボ回路８に最適値を設定する。また、光ピックアップ３、増幅回路４、信号処理回路５を介して光ディスク２から媒体情報を読み出す。なお、セットアップ情報や媒体情報を光ディスクから取得し、各種設定することを一般にセットアップ処理と呼ぶ。
【００２１】
そして、ホストコンピュータからデータ記録再生装置１にデータが送られると、インタフェース回路６でデータを受け取り、信号処理回路５でスクランブルを施し、誤り訂正符号を付加し、インタリーブを施し、データ変調して光ピックアップ３に送り、光ディスク２に記録する。
【００２２】
次に、光ディスク２からデータを再生する場合のデータ記録再生装置１の動作を説明する。データ記録再生装置１に光ディスク２が装着されると、ＣＰＵ７は光ピックアップ３、増幅回路４、信号処理回路５を介して光ディスクの識別情報を読み出し、セットアップ情報を取得して増幅回路４、サーボ回路８に最適値を設定する。そして、ホストコンピュータからデータ記録再生装置１にデータが要求されると、光ピックアップ３を介して光ディスク２から読み出した信号を増幅回路４で増幅し、信号処理回路５でデータ復調し、インタリーブを解き、誤り訂正を行い、スクランブルを解き、インタフェース回路６を介してホストコンピュータにデータを送る。
【００２３】
図２は、第１の実施例のデータ記録再生装置の動作を示すフローチャートである。データ記録再生装置に光ディスクが装着されたら、ステップＳ２０１において識別情報再生用のセットアップ処理を行い、ステップＳ２０２において光ディスクから識別情報を読み出す。
【００２４】
次にステップＳ２０３において記録済ディスク用セットアップ処理を行う。記録済ディスク用セットアップ処理とは、例えば記録済のデータ領域の再生信号の振幅値が最大となる時の各種設定を最適値として求める処理を含むセットアップである。光ディスクが全面記録されていればどこを再生してもよいので、特にシークを必要としない。これに対して未記録ディスク用セットアップ処理は、例えば管理領域のＰｒｅ−ｗｒｉｔｅ  Ａｒｅａを再生して各種設定の最適値を求めるが、３２クラスタしかないため処理中にシークを何度も繰り返す必要がある。このため、一般に未記録ディスク用セットアップ処理は記録済ディスク用セットアップ処理に比べて処理時間が長くなる。
【００２５】
次にステップＳ２０４においてセットアップエラーが発生したかどうかを確認し、セットアップエラーの場合は未記録ディスクと判定し、ステップＳ２０５において未記録ディスク用セットアップ処理を行う。記録済ディスク用セットアップ処理は、前述のとおり記録済のデータ領域を再生するため、記録済のデータ領域がない未記録ディスクの場合はセットアップエラーが発生する。よって、セットアップエラーが発生する場合は未記録ディスクと判定できる。
【００２６】
次にステップＳ２０６においてホストコンピュータからのデータ記録再生要求に応じて、データ記録再生処理を行う。
【００２７】
以上の構成により本発明の第１の実施例では、光ディスクが装着されたら、まず記録済ディスク用セットアップ処理を行う。セットアップエラーになった場合は、未記録ディスクと判断し、未記録ディスク用セットアップ処理を行う。セットアップエラーになった場合のみ未記録ディスク用セットアップ処理を行うため、記録済ディスクのセットアップ処理時間を短縮することができる。
【実施例２】
【００２８】
図３は、本発明の第２の実施例のデータ記録再生装置の構成を示すブロック図である。図１と同一の回路については説明を省略する。３１はデータ記録再生装置であり、ホストコンピュータから入力したデータを記録媒体に記録する。また、記録媒体から再生したデータをホストコンピュータに出力する。３７はＣＰＵであり、データ記録再生装置３１の記録処理、再生処理の制御を行う。また、光ディスク２を記録再生するのに最適なセットアップ情報を取得する。また、光ディスク２から媒体情報を読み出し、識別情報と共にメモリ３８に書き込む。また、メモリ３８から識別情報に対応した媒体情報を読み出す。なお、ＣＰＵでなくとも、任意の制御回路や、ＡＳＩＣ等の専用回路を用いてもよい。
【００２９】
３８はメモリであり、媒体情報を識別情報と共に記録する。識別情報とは、例えばＢＣＡ（Ｂｕｒｓｔ  Ｃｕｔｔｉｎｇ  Ａｒｅａ）に記録されている製品番号やシリアル番号である。媒体情報とは、例えば光ディスクの種類、欠陥管理情報等、当該光ディスクを記録再生する際に必要な情報であり、従来は光ディスク装着毎に光ディスクから読み出していた情報である。
【００３０】
なお、メモリはＣＰＵに接続する例を示したが、データ記録再生装置内外のどこに接続されていてもよく、ホストコンピュータ内にあってもよい。また、情報を保持できればメモリでなくてもよく、例えばハードディスクでもよい。
【００３１】
次に、光ディスク２にデータを記録する場合のデータ記録再生装置３１の動作を説明する。 データ記録再生装置３１に光ディスク２が装着されると、ＣＰＵ３７は光ピックアップ３、増幅回路４、サーボ回路８を介して光ディスク２の識別情報を読み出し、セットアップ情報を取得して増幅回路４、サーボ回路８に最適値を設定する。また、光ピックアップ３、増幅回路４、信号処理回路５を介して光ディスク２から媒体情報を読み出し、識別情報と共にメモリ３８に書き込む。
【００３２】
そして、ホストコンピュータからデータ記録再生装置３１にデータが送られると、インタフェース回路６でデータを受け取り、信号処理回路５でスクランブルを施し、誤り訂正符号を付加し、インタリーブを施し、データ変調して光ピックアップ３に送り、光ディスク２に記録する。
【００３３】
次に、光ディスク２からデータを再生する場合のデータ記録再生装置３１の動作を説明する。データ記録再生装置３１に光ディスク２が装着されると、ＣＰＵ３７は光ピックアップ３、増幅回路４、信号処理回路５を介して光ディスクの識別情報を読み出し、該当する媒体情報をメモリ３８から読み出し、セットアップ情報を取得し増幅回路４、サーボ回路８に最適値を設定する。そして、ホストコンピュータからデータ記録再生装置３１にデータが要求されると、光ピックアップ３を介して光ディスク２から読み出した信号を増幅回路４で増幅し、信号処理回路５でデータ復調し、インタリーブを解き、誤り訂正を行い、スクランブルを解き、インタフェース回路６を介してホストコンピュータにデータを送る。
【００３４】
図４は、本発明の第２の実施例のデータ記録再生装置の動作を示すフローチャートである。データ記録再生装置に光ディスクが装着されたら、ステップＳ４０１において識別情報再生用のセットアップ処理を行い、ステップＳ４０２において光ディスクから識別情報を読み出す。
【００３５】
次にステップＳ４０３において前記識別情報に対応した媒体情報がメモリにある場合は、ステップＳ４０４においてメモリから媒体情報を読み出し、ステップＳ４０５において、記録済ディスク用セットアップ処理を行う。ステップＳ４０３において前記識別情報に対応した媒体情報がメモリにない場合は、ステップＳ４０６において未記録ディスク用セットアップ処理を行い、ステップＳ４０７においてディスクから媒体情報を読み出し、ステップＳ４０８においてメモリに媒体情報を識別情報と共に書き込む。
【００３６】
次にステップＳ４０９においてホストコンピュータからのデータ記録再生要求に応じて、データ記録再生処理を行う。
【００３７】
なお、初めて装着された光ディスクであればメモリに媒体情報はないが、その後ディスクから媒体情報を読み出してメモリに記録し、ユーザデータを記録するため、初めて装着された光ディスクでなければメモリに媒体情報があることになる。
【００３８】
図５は第２の実施例のデータ記録再生装置のメモリに書き込まれた識別情報と媒体情報の例を示した表である。光ディスクから読み出した媒体情報を識別情報と共にメモリに書き込んでおき、光ディスクがデータ記録再生装置に装着された際に識別情報に対応する媒体情報をメモリから読み出す。光ディスク毎の識別情報として製品番号、シリアル番号が記録され、対応する媒体情報としてディスク種類、ディスク層情報が記録されている。図示していないが、他に例えば欠陥管理情報等を記録してもよい。メモリにこのような媒体情報が記録してあれば、当該媒体情報を改めてディスクから読み出す必要はなく、少なくとも当該媒体情報をディスクから読み出す時間を削減できる。
【００３９】
以上の構成により本発明の第２の実施例では、光ディスクの媒体情報を識別情報と共にメモリに書き込んでおき、光ディスク装着の際に当該光ディスクに対応した媒体情報がメモリにあるかどうかでセットアップ処理を切り換えることにより、光ディスクのセットアップ処理時間を短縮することができる。更に、メモリから媒体情報を読み出すため、光ディスクから媒体情報を読み出す必要がなく、本発明の第１の実施例よりセットアップ処理時間を短縮することができる。
【実施例３】
【００４０】
図６は、本発明の第３の実施例のデータ記録再生装置の構成を示すブロック図である。図１と同一の回路については説明を省略する。６１はデータ記録再生装置であり、ホストコンピュータから入力したデータを記録媒体に記録する。また、記録媒体から再生したデータをホストコンピュータに出力する。６７はＣＰＵであり、データ記録再生装置６１の記録処理、再生処理の制御を行う。また、光ディスク２を記録再生するのに最適なセットアップ情報を取得し、識別情報と共にメモリ６８に書き込む。また、光ディスク２から媒体情報を読み出し、同様にメモリ６８に書き込む。また、メモリ６８から識別情報に対応したセットアップ情報と媒体情報を読み出す。なお、ＣＰＵでなくとも、任意の制御回路や、ＡＳＩＣ等の専用回路を用いてもよい。
【００４１】
６８はメモリであり、媒体情報とセットアップ情報を識別情報と共に記録する。識別情報とは、例えばＢＣＡ（Ｂｕｒｓｔ  Ｃｕｔｔｉｎｇ  Ａｒｅａ）に記録されている製品番号やシリアル番号である。媒体情報とは、例えば光ディスクの種類、欠陥管理情報等、当該光ディスクを記録再生する際に必要な情報であり、従来は光ディスク装着毎に光ディスクから読み出していた情報である。また、セットアップ情報とは、例えば増幅回路のゲインやオフセット、サーボの調整学習値等、当該光ディスクを記録再生する際に最適な設定値や学習結果であり、従来は光ディスク装着毎に光ディスクから取得していた情報である。
【００４２】
なお、メモリはＣＰＵに接続する例を示したが、データ記録再生装置内外のどこに接続されていてもよく、ホストコンピュータ内にあってもよい。また、情報を保持できればメモリでなくてもよく、例えばハードディスクでもよい。
【００４３】
次に、光ディスク２にデータを記録する場合のデータ記録再生装置６１の動作を説明する。 データ記録再生装置６１に光ディスク２が装着されると、ＣＰＵ６７は光ピックアップ３、増幅回路４、サーボ回路８を介して光ディスク２の識別情報を読み出し、セットアップ情報を取得し、光ディスクの識別情報と共にメモリ６８に書き込む。また、光ピックアップ３、増幅回路４、信号処理回路５を介して光ディスク２から媒体情報を読み出し、光ディスクの識別情報と共にメモリ６８に書き込む。
【００４４】
そして、ホストコンピュータからデータ記録再生装置６１にデータが送られると、インタフェース回路６でデータを受け取り、信号処理回路５でスクランブルを施し、誤り訂正符号を付加し、インタリーブを施し、データ変調して光ピックアップ３に送り、光ディスク２に記録する。
【００４５】
次に、光ディスク２からデータを再生する場合のデータ記録再生装置６１の動作を説明する。データ記録再生装置６１に光ディスク２が装着されると、ＣＰＵ６７は光ピックアップ３、増幅回路４、信号処理回路５を介して光ディスクの識別情報を読み出し、該当するセットアップ情報と媒体情報をメモリ６８から読み出し、増幅回路４、サーボ回路８に設定する。そして、ホストコンピュータからデータ記録再生装置６１にデータが要求されると、光ピックアップ３を介して光ディスク２から読み出した信号を増幅回路４で増幅し、信号処理回路５でデータ復調し、インタリーブを解き、誤り訂正を行い、スクランブルを解き、インタフェース回路６を介してホストコンピュータにデータを送る。
【００４６】
図７は、本発明の第３の実施例のデータ記録再生装置の動作を示すフローチャートである。データ記録再生装置に光ディスクが装着されたら、ステップＳ７０１において識別情報再生用のセットアップ処理を行い、ステップＳ７０２において光ディスクから識別情報を読み出す。
【００４７】
次にステップＳ７０３において前記識別情報に対応した媒体情報とセットアップ情報がメモリにある場合は、ステップＳ７０４においてメモリから媒体情報とセットアップ情報を読み出し、ステップＳ７０５において、記録済ディスク用セットアップ処理を行う。ステップＳ７０３において前記識別情報に対応した媒体情報がメモリにない場合は、ステップＳ７０６において未記録ディスク用セットアップ処理を行い、ステップＳ７０７においてディスクから媒体情報を読み出し、ステップＳ７０８においてメモリに媒体情報を識別情報と共に書き込む。
【００４８】
次にステップＳ７０９においてホストコンピュータからのデータ記録再生要求に応じて、データ記録再生処理を行う。
【００４９】
なお、初めて装着された光ディスクであればメモリに媒体情報とセットアップ情報はないが、その後ディスクから媒体情報を読み出してメモリに書き込み、ディスクのセットアップを行って得られたセットアップ情報をメモリに書き込み、ディスクにユーザデータを記録するため、初めて装着された光ディスクでなければメモリに媒体情報とセットアップ情報があることになる。
【００５０】
図８は第３の実施例のデータ記録再生装置のメモリに書き込まれた識別情報と媒体情報とセットアップ情報の例を示した表である。光ディスクから読み出した媒体情報とセットアップ情報を識別情報と共にメモリに書き込んでおき、光ディスクがデータ記録再生装置に装着された際に識別情報に対応する媒体情報とセットアップ情報をメモリから読み出す。光ディスク毎の媒体情報としてディスク種類、ディスク層情報が記録されている。図示していないが、他に欠陥管理情報等を記録してもよい。メモリにこのような媒体情報が書き込んであるため、当該媒体情報を改めてディスクから読み出す必要はなく、少なくとも当該媒体情報をディスクから読み出す時間を削減できる。  
また、光ディスク毎のセットアップ情報としてＴＲ（ＴＲａｃｋｉｎｇ）調整値、ＦＯ（ＦＯｒｃｕｓ）調整値、ＢＥ（Ｂｅａｍ  Ｅｘｐａｎｄｅｒ）調整値が記録されている。セットアップ調整結果としてメモリにこのようなセットアップ情報が書き込んであるため、各種調整処理の削減あるいは簡略化等が可能であり、光ディスクのセットアップ処理時間を短縮することができる。
【００５１】
以上の構成により本発明の第３の実施例では、光ディスクの媒体情報とセットアップ情報を識別情報と共にメモリに書き込んでおき、光ディスク装着の際に当該光ディスクに対応した媒体情報とセットアップ情報がメモリにあるかどうかでセットアップ処理を切り換えることにより、光ディスクのセットアップ処理時間を短縮することができる。また、メモリから媒体情報を読み出すため、光ディスクから媒体情報を読み出す必要がなく、本発明の第１の実施例よりセットアップ処理時間を短縮することができる。更に、メモリからセットアップ情報読み出すため、各種調整処理等の削減が可能であり、本発明の第２の実施例より光ディスクのセットアップ処理時間を短縮することができる。
【実施例４】
【００５２】
図９は、本発明の第４の実施例のデータライブラリ装置の構成を示すブロック図である。９１はデータライブラリ装置であり、サーバ９２を介してネットワーク９３からハードディスク９４に蓄積されたデータを光ディスクに記録する。あるいは光ディスクからデータを再生し、サーバ９２を介してネットワーク９３に送る。９２はサーバであり、ハードディスク９４とデータライブラリ装置９１を制御してネットワーク９３から送られたデータを管理する。９４はハードディスクであり、サーバ９２に制御されてネットワーク９３から送られたデータの記録再生を行う。
【００５３】
９５は光ディスクであり、データライブラリ装置９１に複数枚格納されており、ディスク交換装置９６により選択され、データ記録再生装置１０１、１０２、１０３、１０４に装着され、データが記録再生される。１０１、１０２、１０３、１０４はデータ記録再生装置であり、ライブラリ装置制御回路９７に制御されて、光ディスク９５にデータを記録再生する。９６はディスク交換装置であり、ライブラリ装置制御回路９７に制御されて、データ記録再生装置１０１、１０２、１０３、１０４に装着する光ディスクを交換する。
【００５４】
９７はライブラリ装置制御回路であり、サーバ９２からの要求により、ディスク交換装置９６を制御して複数枚の光ディスク９５から所望の光ディスクを選択し、データ記録再生装置１０１、１０２、１０３、１０４に装着する。
【００５５】
９８はメモリであり、ライブラリ装置制御回路９７を介してデータ記録再生装置１０１、１０２、１０３、１０４から送られた媒体情報とセットアップ情報を識別情報と共に書き込む。また、媒体情報とセットアップ情報を読み出してデータ記録再生装置１０１、１０２、１０３、１０４に送る。更に、例えばデータ記録再生装置１０１、１０２、１０３、１０４の装置番号を１、２、３、４のように対応させ、セットアップ情報の１つとしてメモリ９８に書き込めば、当該光ディスクのセットアップ情報が同一のデータ記録再生装置で得られたものかどうかがわかり、各種調整の参考にすることができる。あるいは、データ記録再生装置毎のセットアップ情報をメモリに全て書き込んでもよい。
【００５６】
図１０は第４の実施例のデータ記録再生装置の構成を示すブロック図である。図１と同一の回路については説明を省略する。１０１はデータ記録再生装置であり、ライブラリ装置制御回路から入力したデータを光ディスクに記録する。また、光ディスクから再生したデータをライブラリ装置制御回路に出力する。１０７はＣＰＵであり、データ記録再生装置１０１の記録処理、再生処理の制御を行う。また、光ディスク装着の際にライブラリ装置制御回路を介してメモリから媒体情報とセットアップ情報を入力し、排出の際等にライブラリ装置制御回路を介してメモリに媒体情報とセットアップ情報を出力する。
【００５７】
なお、データ記録再生装置１０１について説明したが、データ記録再生装置１０２、１０３、１０４も同一である。
【００５８】
図１１は第４の実施例のデータライブラリ装置の動作を示すフローチャートである。ステップＳ１１０１においてデータライブラリ装置にデータ再生要求あるいはデータ記録要求があった場合は、ステップＳ１１０２において該当する光ディスクをデータ記録再生装置に装着する。ここでは、例えば装置番号１のデータ記録再生装置に装着したとする。
【００５９】
次に、ステップＳ１１０３において識別情報再生用のセットアップ処理を行い、ステップＳ１１０４において光ディスクから識別情報を読み出す。
【００６０】
次にステップＳ１１０５において前記識別情報に対応した媒体情報とセットアップ情報がメモリにある場合で、更にステップＳ１１０６においてセットアップ情報の１つの装置番号が一致する場合は、ステップＳ１１０７においてメモリから媒体情報とセットアップ情報を読み出す。ここでは、装置番号１のデータ記録再生装置に光ディスクを装着した場合を例としているので、装置番号が一致する場合とは、メモリに装置番号１の情報が記憶されている場合である。そして、ステップＳ１１０８においてメモリから読み出した媒体情報とセットアップ情報を使って記録済ディスク用セットアップ処理を行う。当該セットアップ情報は装置番号１の情報そのものであるため、セットアップ情報の各種設定値をそのまま設定する他、セットアップ情報の各種設定値を中心値として最適設定値を短時間で求めることができる。
【００６１】
ステップＳ１１０５において前記識別情報に対応した媒体情報とセットアップ情報がメモリにある場合で、更にステップＳ１１０６において装置番号が一致する情報がない場合は、ステップＳ１１０９においてメモリから媒体情報を読み出す。ここでは、装置番号１のデータ記録再生装置に光ディスクを装着した場合を例としているので、装置番号が一致する情報がない場合とは、メモリに装置番号１の情報が記憶されておらず、装置番号２、３、４の情報が記憶されている場合である。そして、ステップＳ１１１０においてメモリから読み出した媒体情報を使って記録済ディスク用セットアップ処理を行う。そして、ステップＳ１１１１においてメモリに識別情報と媒体情報と装置番号を含むセットアップ情報を書き込む。
【００６２】
あるいは、ステップＳ１１０９においてメモリから媒体情報とセットアップ情報を読み出し、ステップＳ１１１０においてメモリから読み出した媒体情報とセットアップ情報を使って記録済ディスク用セットアップ処理を行ってもよいが、当該セットアップ情報は装置番号１の情報ではないため、セットアップ情報の各種設定値をそのまま設定することはできない。或るデータ記録再生装置の最適設定値が別のデータ記録再生装置の最適設定値とは限らないからである。しかし、別のデータ記録再生装置で得たセットアップ情報の各種設定値を参考にして最適設定値を求めることはできる。
【００６３】
ステップＳ１１０５において前記識別情報に対応した媒体情報がメモリにない場合は、ステップＳ１１１２において未記録ディスク用セットアップ処理を行い、ステップＳ１１１３においてディスクから媒体情報を読み出し、ステップＳ１１１４においてメモリに識別情報と媒体情報と装置番号を含むセットアップ情報を書き込む。
【００６４】
次にステップＳ１１１５においてホストコンピュータからのデータ記録再生要求に応じて、データ記録再生処理を行う。
【００６５】
一般にサーバは、ネットワークに接続された端末から送られたデータを一旦ハードディスクに記録し、例えばその後端末から一定期間アクセスがない場合等、予め定めた条件を満たすと当該データをデータライブラリ装置へ移動する。この時、データライブラリ装置は未記録ディスクをデータ記録再生装置に装着し、当該ディスクにデータを記録する。当該ディスクは初めて装着されるため、メモリに媒体情報とセットアップ情報はないが、その後ディスクから媒体情報を読み出してメモリに書き込み、ディスクのセットアップ処理を行って得られたセットアップ情報をメモリに書き込み、ディスクにユーザデータを記録するため、初めて装着された光ディスクでなければメモリに媒体情報とセットアップ情報があることになる。
【００６６】
図１２は第４の実施例のデータライブラリ装置のメモリに書き込まれた識別情報と媒体情報とセットアップ情報の例を示した表である。光ディスクから読み出した媒体情報とセットアップ情報を識別情報と共にメモリに書き込んでおき、光ディスクがデータ記録再生装置に装着された際に識別情報に対応する媒体情報とセットアップ情報をメモリから読み出す。メモリに媒体情報が書き込んであるため、当該媒体情報を改めてディスクから読み出す必要はなく、少なくとも当該媒体情報をディスクから読み出す時間を削減できる。また、セットアップ調整結果としてメモリにセットアップ情報が書き込んであるため、各種調整処理の削減あるいは簡略化等が可能であり、光ディスクのセットアップ処理時間を短縮することができる。また、セットアップ情報を取得したデータ記録再生装置の装置番号を書き込んであるため、該当する装置番号があるかどうかで処理を切り換えることができる。該当する装置番号があればセットアップ情報の各種設定値をそのまま設定する他、セットアップ情報の各種設定値を中心値として最適設定値を短時間で求めることができる。該当する装置番号なければ、各種設定値を参考にして最適設定値を求めることができる。
【００６７】
例えば、製品番号１２６Ｃｈ、シリアル番号００００１９８１ｈのＢＤ−Ｒについて３つのセットップ情報がある。装置番号１、２、４についてのセットップ情報であり、当該ディスクが装置番号１のデータ記録再生装置に装着された場合は、装置番号１のセットアップ情報を読み出してセットアップを行い、装置番号２のデータ記録再生装置に装着された場合は、装置番号２のセットアップ情報を読み出してセットアップを行う。装置番号３のデータ記録再生装置に装着された場合は、例えば装置番号１のセットアップ情報を参考にしてセットアップを行う。
【００６８】
なお、本実施例は、以下のようにも言い換えることが出来る。すなわち、複数枚の記録媒体にデータを記録・管理するデータライブラリ装置において、記録媒体にデータを記録再生する複数台のデータ記録再生装置と、複数台のデータ記録再生装置の記録媒体を交換する記録媒体交換装置と、記録媒体の識別情報と、データ記録再生装置ごとのセットアップ情報を記憶する記憶手段を備え、複数台のデータ記録再生装置は、記録媒体に適切な記録再生条件で記録再生するための複数のセットアップ方法を備え、サーバからデータ記録処理あるいはデータ再生処理が要求された場合は、記録媒体交換装置により該当する記録媒体を一つのデータ記録再生装置に装着し、記録媒体の識別情報と、データ記録再生装置ごとのセットアップ情報を読み出し、対応する記録媒体の識別情報と、データ記録再生装置ごとのセットアップ情報がある場合は、第１のセットアップ方法を実行し、対応する記録媒体の識別情報と、データ記録再生装置ごとのセットアップ情報がない場合は、第２のセットアップ方法を実行する。また、対応する記録媒体の識別情報はあるが、対応するデータ記録再生装置ごとのセットアップ情報がない場合は、第３のセットアップ方法を実行する。
【００６９】
なお、本実施例ではライブラリ装置制御回路と各データ記録再生装置をＳＡＴＡとは別の信号線で接続して、各ディスクの識別情報と媒体情報とセットアップ情報を送る例を示したが、ＳＡＴＡを介して送ってもよい。
【００７０】
また、本実施例では各ディスクの媒体情報とセットアップ情報を、データライブラリ装置内のメモリに記録したが、メモリはどこにあってもよく、サーバにあってもよい。また、情報を保持できればメモリでなくてもよく、例えばサーバのハードディスクでもよい。
【００７１】
また、本実施例ではメモリに記録した各ディスクの媒体情報とセットアップ情報を、各ディスクの識別情報により特定する例を示したが、一般にデータライブラリ装置は各ディスクのファイルシステムをハードディスクに記録しているため、このファイルシステムに対応させて媒体情報とセットアップ情報を特定してもよい。
【００７２】
以上の構成により本発明の第４の実施例では、光ディスクの媒体情報とセットアップ情報を識別情報と共にメモリに記録しておき、光ディスク装着の際に当該光ディスクに対応した媒体情報とセットアップ情報がメモリにあるかどうかでセットアップ処理を切り換えることにより、光ディスクのセットアップ処理時間を短縮することができる。メモリから媒体情報を読み出すため、光ディスクから媒体情報を読み出す必要がなくなり、セットアップ処理時間を短縮することができる。
【００７３】
また、セットアップ情報の１つとして装置番号をメモリに記録しておき、光ディスク装着の際に当該データ記録再生装置に対応したセットアップ情報がメモリにあるかどうかでセットアップ処理を切り換えることにより、光ディスクのセットアップ処理時間を短縮することができる。メモリからセットアップ情報を読み出すため、各種調整処理等の削減が可能であり、光ディスクのセットアップ処理時間を短縮することができる。
【００７４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００７５】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。
【００７６】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７７】
１…データ記録再生装置
２…光ディスク
３…光ピックアップ
４…増幅回路
５…信号処理回路
６…インタフェース回路
７…ＣＰＵ
８…サーボ回路
【図１】
0005771472.tif 000002
【図２】
0005771472.tif 000003
【図３】
0005771472.tif 000004
【図４】
0005771472.tif 000005
【図５】
0005771472.tif 000006
【図６】
0005771472.tif 000007
【図７】
0005771472.tif 000008
【図８】
0005771472.tif 000009
【図９】
0005771472.tif 000010
【図１０】
0005771472.tif 000011
【図１１】
0005771472.tif 000012
【図１２】
0005771472.tif 000013